(57)【要約】【課題】先端工具を容易に識別できるとともに簡易に取り出すことを可能にした間接活線先端工具収納装置を提供する。【解決手段】高所作業車のバケット１００上で作業者が使用する間接活線作業用の操作棒の先端に取り付けられる先端工具８０を収納する間接活線作業用具収納装置１であって、バケット１００の内壁に配置され、絶縁性を有する網状の平板面を有する支持網１０と、支持網１０における高さの異なる位置に着脱自在に取り付けられる第１収容箱２０及び第２収容箱３０とを備え、第１収容箱２０及び第２収容箱３０は、先端工具８０を収容する第１収容部２０ａ及び第２収容部３０ａと、第１収容部２０ａ及び第２収容部３０ａに固定され支持網１０に着脱自在に連結する第１連結部２０ｂ及び第２連結部３０ｂを有する。【選択図】図１
2014176165.tif 000002
【特許請求の範囲】
【請求項１】
高所作業車のバケット上で作業者が使用する間接活線作業用の操作棒の先端に取り付けられる先端工具を収納する間接活線作業用具収納装置であって、
前記バケットの内壁に配置され、絶縁性を有する網状の平板面を有する支持網と、
前記支持網における高さの異なる位置に着脱自在に取り付けられる収容箱とを備え、
前記収容箱は、前記先端工具を収容する収容部と、当該収容部に固定され前記支持網に着脱自在に連結する連結部とを有することを特徴とする間接活線作業用具収納装置。
【請求項２】
前記収容部に収容され、前記操作棒に取り付けられる前記先端工具の基端側が挿入される孔部を有する支持部材を更に備えることを特徴とする請求項１記載の間接活線作業用具収納装置。
【請求項３】
前記支持部材は、発泡部材からなることを特徴とする請求項２記載の間接活線作業用具収納装置。
【請求項４】
前記支持部材は、前記孔部を複数有することを特徴とする請求項２又は３記載の間接活線作業用具収納装置。
【請求項５】
前記収容箱は、前記支持網に複数取り付けられることを特徴とする請求項１乃至４のいずれか１項記載の間接活線作業用具収納装置。
【請求項６】
請求項１乃至５のいずれか１項記載の間接活線作業用具収納装置を内壁に備えることを特徴とするバケット。
【発明の詳細な説明】
【技術分野】
【０００１】
本発明は、高所作業車のバケット上で作業者が用いる間接活線操作棒の先端に取り付けられる先端工具を収納する間接活線作業用具収納装置及びバケットに関する。
【背景技術】
【０００２】
従来より、架線や電柱等の高所にあるものを対象に作業を行うに当たり、昇柱作業が困難な場合には、図６に示すように、作業者が高所作業車のバケット１００に乗り、バケット１００を作業対象の近傍に位置付けてから各種作業を行うようにしている。高所作業においては、電気絶縁性を有する間接活線操作棒７０が用いられる。間接活線操作棒７０の先端部は、作業内容に応じて各種の先端工具８０が取り付けられるように構成されている。そして作業員は、間接活線操作棒７０の先端部に先端工具８０を取り付けたり先端工具８０を交換したりしながら、操作棒を操作することによって各種の作業を行っている。
【０００３】
このため、バケット１００には、作業者の搭乗とともに、間接活線操作棒７０や作業を行うための各種の工具、材料類を一緒に載せる必要がある。そこで、従来、特許文献１に記載されているように、バケットの外側の側壁に棒状の間接活線作業用具を収納する間接活線作業用具収納装置を設けることが提案されている。これにより、間接活線作業用具を落下させるおそれ無く確実に収納することができ、作業者がバケットから身体を乗り出すような危険な姿勢をとることなく、棒状の本体部を備えた間接活線作業用具を安全且つ容易に出し入れすることができるようになる。
【先行技術文献】
【特許文献】
【０００４】
【特許文献１】特開２０１０−１４２０７２号公報
【発明の概要】
【発明が解決しようとする課題】
【０００５】
ところで、間接活線操作棒７０の先端部に先端工具８０を取り付けたり交換したりする場合には、先端工具８０ができるだけ一箇所にまとまっている方が、先端工具８０の取付作業が行い易い。そこで、先端工具を工具袋に入れてバケットに吊り下げることが考えられる。
【０００６】
そこで、工具袋をバケットの外側に吊り下げた場合には、バケット内の作業スペースを広く使うことができる。しかし、作業員が先端工具を工具袋から取り出し損ねてバケットから落下させるおそれがある。特に、工具袋には、複数の先端工具を入れざるを得ないが、形状が多様な間接活線先端工具が工具袋内において重なり合ったり絡み合ったりすることで、目的の先端工具が容易に視認することが難しくなるため取り出しが困難になり、一旦作業を中断して取り出す必要が生ずるおそれがある。更に、複数の先端工具が絡み合ったままで取り出された場合には、作業員に把持されていない先端工具をバケットから落下させてしまうおそれがある。また、作業者が工具袋から先端工具を取り出すには、身体をバケットの外側に乗り出した姿勢で先端工具を取り出さなければならず、作業者の安全確保のための更なる対策が必要になる。
【０００７】
一方、先端工具を工具袋に入れてバケットの内側に吊り下げた場合には、先端工具がバケットから落下させることを防止できるものの、バケット内の作業スペースが狭くなるとともに、作業者が工具袋から先端工具を取り出す際には、狭いバケット内でかがむなど無理な姿勢が強いられ、しかも工具袋内の先端工具の識別が難しくなる。
【０００８】
本発明は、このような問題点を解決し、先端工具を容易に識別できるとともに簡易に取り出すことを可能にした間接活線先端工具収納装置及びバケットを提供することを目的とする。
【課題を解決するための手段】
【０００９】
前記目的を達成するため、本発明は、次に記載する構成を備えている。
【００１０】
（１）  高所作業車のバケット上で作業者が使用する間接活線作業用の操作棒の先端に取り付けられる先端工具を収納する間接活線作業用具収納装置であって、前記バケットの内壁に取り付けられ、絶縁性を有する網状の平板面を有する支持網と、前記支持網における高さの異なる位置に着脱自在に取り付けられる収容箱とを備え、前記収容箱は、前記先端工具を収容する収容部と、当該収容部に固定され前記支持網に着脱自在に連結する連結部とを有することを特徴とする間接活線作業用具収納装置。
【００１１】
（１）によれば、作業員が立った状態で手の届く範囲に、先端工具を収容している収容箱を配置することが可能になるため、作業員は先端工具を容易に識別できるとともに、かがむなど無理な姿勢を取ることなく簡易に先端工具を取り出すことが可能になる。更に、作業者が搭乗するバケット内の作業スペースの有効活用が図れ、作業効率の向上及び作業者の安全性の確保にも寄与する。
【００１２】
（２）  （１）において、前記収容部に収容され、前記操作棒に取り付けられる前記先端工具の基端側が挿入される孔部を有する支持部材を更に備えることを特徴とする間接活線作業用具収納装置。
【００１３】
（２）によれば、先端工具の基端側が支持部材の孔部に挿入されることにより、先端工具が上方に向けられるため、作業員が先端工具の種類を識別することが容易に可能になる。
【００１４】
（３）  （２）において、前記支持部材は、発泡部材からなることを特徴とする間接活線作業用具収納装置。
【００１５】
（３）によれば、また、支持部材は、発泡部材からなるため、先端工具の基端側を傷つけることなく保持することが可能になる。
【００１６】
（４）  （２）又は（３）において、前記支持部材は、前記孔部を複数有することを特徴とする間接活線作業用具収納装置。
【００１７】
（４）によれば、また、支持部材は、複数の孔部を有することにより、複数種類の先端工具を上方に向けた状態で保持することが可能になり、作業員が複数の先端工具の中なら所望の先端工具を容易に識別しかつ取り出すことが可能になる。
【００１８】
（５）  （１）〜（４）において、前記収容箱は、前記支持網に複数取り付けられることを特徴とする間接活線作業用具収納装置。
【００１９】
（５）によれば、収容箱が、支持網に複数取り付けられることにより、複数の収容箱に複数種類の先端工具を仕分けることが可能になる。
【００２０】
（６）  （１）〜（５）の間接活線作業用具収納装置を内壁に備えることを特徴とする高所作業車のバケット。
【００２１】
（６）によれば、（１）と同様の作用効果を有するバケットを提供することが可能になる。
【発明の効果】
【００２２】
本発明によれば、先端工具を容易に識別できるとともに簡易に取り出すことを可能にした間接活線先端工具収納装置及びバケットを提供することが可能になる。
【図面の簡単な説明】
【００２３】
【図１】本発明の一実施形態における間接活線作業用具収納装置１の外観を示す斜視図である。
【図２】支持網１０の構成を示す説明図である。
【図３】第１収容箱２０の構成を示す斜視図である。
【図４】第２収容箱３０の構成を示す斜視図である。
【図５】間接活線作業用具収納装置１の使用状態を示す斜視図である。
【図６】高所作業例を示す説明図である。
【発明を実施するための形態】
【００２４】
以下、本発明の一実施形態について、図面を参照しながら詳細に説明する。
【００２５】
図１は、本発明の一実施形態における間接活線作業用具収納装置１の外観を示す斜視図である。間接活線作業用具収納装置１は、支持網１０と、第１収容箱２０と、第１支持部材２２と、第２収容箱３０と、第２支持部材３２と、を備えている。
【００２６】
図２は、支持網１０の構成を示す説明図であり、支持網１０は、矩形の枠体１０ａと、複数の線状部材１０ｂとからなり、縦横に複数配置された線状部材１０ｂを枠体１０ａに固定して、枠体１０ａによって囲まれている空間に網状の平板面を形成したものである。枠体１０ａ及び線状部材１０ｂは絶縁性の部材、例えば、ポリエチレンを主体とした樹脂によって構成されている。本実施形態の支持網１０は、縦６００ｍｍ、横４５０ｍｍの矩形であり、横方向に平行な１１本の線状部材１０ｂが縦方向に等間隔に配置され、縦方向に平行な８本の線状部材１０ｂが横方向に等間隔に配置されている。このため、枠体１０ａの内側には、縦横５０ｍｍの網目が形成されている。
【００２７】
図３は、第１収容箱２０の構成を示す斜視図であり、第１収容箱２０は、第１収容部２０ａと、第１連結部２０ｂとからなる。第１収容部２０ａは、矩形の網状の底面とこの底面の四辺上方に延びる４つの網状の側面とからなるかご体である。具体的に、本実施形態の第１収容部２０ａは、縦１１０ｍｍ、横２５０ｍｍの底面と、高さ５０ｍｍの側面とからなるかご体である。第１連結部２０ｂはフック形状の線状部材からなる。第１収容部２０ａ及び第１連結部２０ｂは絶縁性の部材、例えば、ポリエチレンを主体とした樹脂によって構成されている。
【００２８】
そして、第１連結部２０ｂは、第１収容部２０ａにおける、横方向に延びる辺を含む２つの側面の片方の側面に２つ固定されている。具体的には、片方の側面の長手方向の両端部にそれぞれ第１連結部２０ｂの基端部が固定される。第１連結部２０ｂは、基端部から上方に延び、第１収容部２０ａの上側において先端部が下方に屈曲している。この２本の第１連結部２０ｂの先端部が支持網１０の網目に挿入されることにより、第１収容箱２０が支持網１０に着脱自在に取り付けられる。
【００２９】
第１支持部材２２は、第１収容部２０ａに収容され、第１収容部２０ａの内部寸法よりも若干小さい直方体型の部材である。第１支持部材２２は、スポンジ部材や発泡スチロールといった発泡部材によって構成されており、第１支持部材２２の表面には円柱型の孔部２２ａが形成されている。孔部２２ａの内径は、後述する先端工具８０の基端部の外径よりも若干大きくなるように設定されている。本実施形態によれば、孔部２２ａが３箇所に形成されている。そして、第１支持部材２２が第１収容部２０ａに収容された場合に、孔部２２ａは、先端工具８０が挿入できるように上方に向けられる。
【００３０】
図４は、第２収容箱３０の構成を示す斜視図であり、第２収容箱３０は、第２収容部３０ａと、第２連結部３０ｂとからなる。第２収容部３０ａは、矩形の網状の底面とこの底面の四辺上方に延びる４つの網状の側面とからなるかご体である。具体的に、本実施形態の第２収容部３０ａは、縦６０ｍｍ、横８０ｍｍの底面と、高さ９５ｍｍの側面とからなるかご体である。第２連結部３０ｂはフック形状の線状部材からなる。第２収容部３０ａ及び第２連結部３０ｂは絶縁性の部材、例えば、ポリエチレンを主体とした樹脂によって構成されている。
【００３１】
そして、第２連結部３０ｂが、第２収容部３０ａにおける横方向に延びる辺を含む２つの側面の片方の側面に２つ固定されている。具体的には、片方の側面の両端部にそれぞれ第２連結部３０ｂの基端部が固定される。第２連結部３０ｂは、基端部から上方に延び、第２収容部３０ａの上側において先端部が下方に屈曲している。この２本の第２連結部３０ｂの先端部が支持網１０の網目に挿入されることにより、第１収容箱２０が支持網１０に着脱自在に取り付けられる。
【００３２】
第２支持部材３２は、第２収容部３０ａに収容され、第２収容部３０ａの内部寸法よりも若干小さい直方体型の部材である。第２支持部材３２は、スポンジ部材や発泡スチロールといった発泡部材によって構成されており、第２支持部材３２の表面には円柱型の孔部３２ａが形成されている。孔部３２ａの内径は、後述する先端工具８０の基端部の外径よりも若干大きくなるように設定されている。本実施形態によれば、孔部３２ａが３箇所に形成されている。そして、第２支持部材３２が第２収容部３０ａに収容された場合に、孔部３２ａは、先端工具８０が挿入できるように上方に向けられる。
【００３３】
このように、第１収容箱２０は広く浅いかご体であり、第２収容箱３０は狭く深いかご体である。
【００３４】
このため、比較的短い先端工具８０は、第１収容箱２０に第１支持部材２２を介して収容し、比較的長い先端工具８０は、第２収容箱３０に第２支持部材３２を介して収容するのが望ましい。
【００３５】
そして、図１に示すように、支持網１０において線状部材１０ｂによって形成される網目に、第１収容箱２０の第１連結部２０ｂ、２０ｂを挿入して引っ掛け、同様に、第２収容箱３０の第２連結部３０ｂ、３０ｂを挿入して引っ掛けることによって、支持網１０に第１収容箱２０及び第２収容箱３０が取り付けられる。
【００３６】
図５は、間接活線作業用具収納装置１の使用状態を示す斜視図である。間接活線作業用具収納装置１は、２つの絶縁フック５０によって、バケット１００に取り付けられる。絶縁フック５０は、中央部がバケット１００の上部に挟むことが可能な幅のＵ字型に形成されており、更にＵ字型の両端部がＵ字型に形成されている略Ｗ字型の部材である。
【００３７】
そして、支持網１０の上部の両端部にそれぞれ絶縁フック５０の端部を挿入し、バケット１００の上部に２つの絶縁フック５０、５０を掛けることにより、間接活線作業用具収納装置１が、バケット１００の内壁に吊り下げられる。この時、第１収容箱２０及び第２収容箱３０は、作業員の手が届く範囲に取り付けられていることが望ましい。
【００３８】
更に、作業に必要な先端工具８０を、第１収容箱２０や第２収容箱３０に収容する。この時、先端工具８０の基端部を第１支持部材２２の孔部２２ａや第２支持部材３２の孔部３２ａに挿入する。
【００３９】
また、先端形状がフック状の先端工具８０は支持網１０の網目に直接引っ掛けて吊り下げてもよい。
【００４０】
図５に示す例は、先端工具８０として、第１収容箱２０の第１支持部材２２にＰＣ操作棒と検電器とを収容し、第２収容箱３０の第２支持部材３２にラチェット工具を収納し、支持網１０にバインド打ち器を直接引っ掛けた状態を示している。そして、作業員は、作業に必要な先端工具８０を間接活線作業用具収納装置１から取り出し、間接活線操作棒の先端工具８０を付け替えることにより、新たな作業を行うことが可能になる。
【００４１】
以上、説明した通りに構成された本実施形態によれば、次に記載する作用効果を奏する。
本実施形態によれば、作業員が立った状態で手の届く範囲に第１収容箱２０及び第２収容箱３０を配置することが可能になるため、作業員の先端工具８０を容易に識別できるとともに、かがむなど無理な姿勢を取ることなく簡易に先端工具８０を取り出すことが可能になる。更に、作業者が搭乗するバケット１００内の作業スペースの有効活用が図れ、作業効率の向上及び作業者の安全性の確保にも寄与する。
【００４２】
また本実施形態によれば、先端工具８０の基端側が第１支持部材２２の孔部２２ａあるいは第２支持部材３２の孔部３２ａに挿入されることにより、先端工具８０が上方に向けられるため、作業員が先端工具８０の種類を識別することが容易に可能になる。
【００４３】
また本実施形態によれば、第１支持部材２２及び第２支持部材３２は、スポンジ部材や発泡スチロールといった発泡部材からなるため、先端工具８０の基端側を傷つけることなく保持することが可能になる。
【００４４】
また、第１支持部材２２は、複数の孔部２２ａを有することにより、複数種類の先端工具８０を上方に向けた状態で保持することが可能になり、作業員が複数の先端工具８０の中なら所望の先端工具８０を容易に識別しかつ取り出すことが可能になる。
【００４５】
また、第１収容箱２０及び第２収容箱３０が、支持網１０に取り付けられることにより、複数種類の先端工具８０を仕分けることが可能になる。例えば、比較的短い先端工具８０は第１収容箱２０に、比較的長い先端工具８０は第２収容箱３０に収容することにより、先端工具８０が収容された状態で確実に保持され、第１収容箱２０あるいは第２収容箱３０から落下することが防止される。
【００４６】
以上、本発明の実施形態について説明したが、本発明の実施形態は、上述した構成に限るものではない。例えば、上述した実施形態によれば、第１収容箱２０及び第２収容箱３０の２つを支持網１０に取り付けているが、収容箱はそれより多くてもよく、収容箱の数は問わない。また、第１収容箱２０及び第２収容箱３０のは、先端工具８０を収容する目的で取り付けられているが、先端工具８０を収容する目的以外の収容箱を取り付けてもよい。例えば、第１収容箱２０の下方に、例えば接続スリーブといった部品を収容する収容箱を支持網１０に対して着脱自在に取り付けてもよい。
【００４７】
また、上述した実施形態によれば、間接活線作業用具収納装置１が絶縁フック５０によってバケットに吊り下げられるが、それに限らず、例えば、第１収容箱２０における第１連結部２０ｂのように、支持網１０にフック部材を固定してもよい。
【符号の説明】
【００４８】
１  間接活線作業用具収納装置
１０  支持網
１０ａ  枠体
１０ｂ  線状部材
２０  第１収容箱
２０ａ  第１収容部
２０ｂ  第１連結部
２２  第１支持部材
２２ａ  孔部
３０  第２収容箱
３０ａ  第２収容部
３０ｂ  第２連結部
３２  第２支持部材
３２ａ  孔部
５０  絶縁フック
８０  先端工具
【図１】
2014176165.tif 000003
【図２】
2014176165.tif 000004
【図３】
2014176165.tif 000005
【図４】
2014176165.tif 000006
【図５】
2014176165.tif 000007
【図６】
2014176165.tif 000008